(57)【要約】      （修正有）【課題】焦点調整中においても合焦位置を正確に把握できるようにする。【解決手段】焦点調整を行う焦点調整手段と撮像素子１４を有し、システムコントローラ５０は、撮像素子１４により撮像された画像データに基づいて静止画データを生成し、焦点調整手段が被写体の焦点を調整している時に、当該静止画データに合焦位置を示す情報を重畳させて画像表示部２８に表示させる。また、撮像装置のブレ量を検出する検出手段を有し、検出されたブレ量に応じて、静止画データあるいは合焦位置を示す情報のうち何れか一方の表示位置を移動させる。【選択図】図２
2011155505.tif 000002
【特許請求の範囲】
【請求項１】
撮像手段と、
焦点調整を行う焦点調整手段と、
前記撮像手段により撮像された画像データに基づいて静止画データを生成する生成手段と、
前記焦点調整手段による焦点調整中において、前記静止画データに合焦位置を示す情報を重畳させて表示手段に表示させる表示制御手段とを有することを特徴とする撮像装置。
【請求項２】
前記焦点調整手段による焦点調整中における前記撮像装置のブレ量を検出する検出手段を更に有し、
前記表示制御手段は、前記検出手段により検出されたブレ量に応じて、前記静止画データ及び前記合焦位置を示す情報のうちの少なくとも何れか一方の表示位置を移動させることを特徴とする請求項１に記載の撮像装置。
【請求項３】
前記撮像装置の部品の一部を変位させることにより前記撮像装置のブレを補正する補正手段を更に有し、
前記表示制御手段は、前記検出手段により検出されたブレ量が前記補正手段によるブレの補正範囲を超える場合、前記検出手段により検出されたブレ量と前記補正手段で補正されたブレ量との差分に応じて、前記静止画データ及び前記合焦位置を示す情報のうちの少なくとも何れか一方の表示位置を移動させることを特徴とする請求項２に記載の撮像装置。
【請求項４】
前記生成手段は、前記焦点調整手段によって焦点調整が開始される直前の画像データに基づいて前記静止画データを生成することを特徴とする請求項１乃至３の何れか１項に記載の撮像装置。
【請求項５】
前記焦点調整手段による焦点調整中において、撮影光路内に斜設され、前記撮像手段への光の入射を妨げる可動ミラーを更に有することを特徴とする請求項１乃至４の何れか１項に記載の撮像装置。
【請求項６】
前記焦点調整手段は、位相差ＡＦを実行することを特徴とする請求項１乃至５の何れか１項に記載の撮像装置。
【請求項７】
撮像手段を有する撮像装置の制御方法であって、
焦点調整を行う焦点調整ステップと、
前記撮像手段により撮像された画像データに基づいて静止画データを生成する生成ステップと、
前記焦点調整ステップによる焦点調整中において、前記静止画データに合焦位置を示す情報を重畳させて表示手段に表示させる表示制御ステップとを含むことを特徴とする撮像装置の制御方法。
【請求項８】
撮像手段を有する撮像装置の制御方法をコンピュータに実行させるためのプログラムであって、
焦点調整を行う焦点調整ステップと、
前記撮像手段により撮像された画像データに基づいて静止画データを生成する生成ステップと、
前記焦点調整ステップによる焦点調整中において、前記静止画データに合焦位置を示す情報を重畳させて表示手段に表示させる表示制御ステップとをコンピュータに実行させるためのプログラム。
【請求項９】
撮像手段を有する撮像装置の制御方法をコンピュータに実行させるためのプログラムを記録したコンピュータ読み取り可能な記録媒体であって、
焦点調整を行う焦点調整ステップと、
前記撮像手段により撮像された画像データに基づいて静止画データを生成する生成ステップと、
前記焦点調整ステップによる焦点調整中において、前記静止画データに合焦位置を示す情報を重畳させて表示手段に表示させる表示制御ステップとをコンピュータに実行させるためのプログラムを記録したコンピュータ読み取り可能な記録媒体。
【発明の詳細な説明】
【技術分野】
【０００１】
本発明は、焦点調整機能による合焦位置をユーザに提示する技術に関するものである。
【背景技術】
【０００２】
コンパクトカメラでは、光学ファインダの代わりに外部表示装置に撮像素子のスルー画像を表示する、所謂ライブビュー表示を用いてフレーミング、撮影する撮影スタイルが一般的になっている。デジタル一眼レフカメラでもライブビューを実現する手法が各種提案されている（例えば、特許文献１参照）。
【先行技術文献】
【特許文献】
【０００３】
【特許文献１】特開２００６−２６１７８３号公報
【発明の概要】
【発明が解決しようとする課題】
【０００４】
しかしながら、デジタル一眼レフカメラで外部表示装置に撮像素子のスルー画像を表示する、所謂ライブビュー表示を行うためには撮像素子に撮影レンズからの光束を導くためミラーアップを行う必要がある。一方、位相差ＡＦを行うためには位相差ＡＦの焦点検出部に撮影レンズからの光束を導くためミラーダウンを行う必要がある。そのため、位相差ＡＦ時にはライブビュー表示を行うことはできず、ＡＦ動作中にモニタで合焦位置を参照することはできなかった。
【０００５】
そこで、本発明の目的は、焦点調整中においても合焦位置を正確に把握できるようにすることにある。
【課題を解決するための手段】
【０００６】
本発明の撮像装置は、撮像手段と、焦点調整を行う焦点調整手段と、前記撮像手段により撮像された画像データに基づいて静止画データを生成する生成手段と、前記焦点調整手段による焦点調整中において、前記静止画データに合焦位置を示す情報を重畳させて表示手段に表示させる表示制御手段とを有することを特徴とする。
【発明の効果】
【０００７】
本発明によれば、焦点調整中において、撮像手段により撮像された画像データに基づく静止画データに合焦位置を示す情報を重畳して表示させるため、焦点調整中においても合焦位置を正確に把握することが可能となる。
【図面の簡単な説明】
【０００８】
【図１−１】本発明の実施形態に係るデジタル一眼レフカメラを前面側よりみた斜視図である。
【図１−２】本発明の実施形態に係るデジタル一眼レフカメラを上面側よりみた図である。
【図１−３】本発明の実施形態に係るデジタル一眼レフカメラを背面側よりみた図である。
【図２】本発明の実施形態に係るデジタル一眼レフカメラの電気的な構成を示すブロック図である。
【図３】本発明の実施形態におけるライブビュー表示動作を示すフローチャートである。
【図４】ライブビュー表示中の画像表示部の表示例を示す図である。
【図５】図３のＳ３０６のサブルーチンの処理を示すフローチャートである。
【図６】本発明の第１の実施形態における表示位置の補正処理の動作を示すフローチャートである。
【図７】図６に示す表示位置の補正処理で静止画データをシフトした表示例を示す図である。
【図８】本発明の第２の実施形態における表示位置の補正処理の動作を示すフローチャートである。
【図９】図８に示す表示位置の補正処理で測距枠をシフトした表示例を示す図である。
【図１０】本発明の第３の実施形態における表示位置の補正処理の動作を示すフローチャートである。
【図１１】本発明の第４の実施形態における表示位置の補正処理の動作を示すフローチャートである。
【発明を実施するための形態】
【０００９】
以下、本発明を適用した好適な実施形態を、添付図面を参照しながら詳細に説明する。
【００１０】
図１−１乃至図１−３は、本発明の実施形態に係るデジタル一眼レフカメラ（以下、単にカメラと称す）の外観を示す図である。より具体的には、図１−１はカメラを前面側よりみた斜視図であって、撮影レンズユニットを外した状態を示している。図１−２はカメラを上面側よりみた図である。図１−３はカメラを背面側よりみた図である。なお、本カメラは、本発明の撮像装置の適用例となる構成である。
【００１１】
図１−１において、１００はカメラ本体であり、撮影時に使用者がカメラを安定して握り易いように前方に突出したグリップ部１１０２が設けられている。カメラの前面側において、１１０５はレンズマウントであり、着脱可能な撮影レンズユニットをカメラ本体に固定させることができる。マウント接点１１０４は、カメラ本体と撮影レンズユニットとの間で制御信号、状態信号、データ信号等を介在するとともに、撮影レンズユニット側に電力を供給する機能を有する。１１０７は撮影レンズユニットを取り外す際に押し込むレンズロック解除釦である。１１０３はカメラ筐体内に配置されたミラーボックスであり、撮影レンズユニットを通過した光束はここへ導かれる。グリップ部１１０２に対して反対側の側面には、開閉可能な外部端子蓋１１０８が設けられている。この外部端子蓋１１０８を開けた内部には、外部インタフェースとしてビデオ信号出力用ジャックとＵＳＢ出力用コネクタとが納められている。
【００１２】
図１−２において、カメラ上部のグリップ部１１０２側には、撮影開始の起動スイッチとしてのシャッタ釦１２０６と、撮影時の動作モードに応じてシャッタスピードやレンズ絞り値を設定するためのメイン電子ダイヤル１２０５が配置されている。シャッタ釦１２０６は、第１ストロークでＳＷ１（後述する図２の６３）がオンし、第２ストロークにてＳＷ２（後述する図２の６４）がオンする構成となっている。カメラ上部中央には、カメラ本体に対してポップアップするストロボユニット１１０１、フラッシュ取付け用のアクセサリシュー１２０２及びフラッシュ接点１２０１があり、カメラ上部右よりには撮影モードダイヤル１２０３が配置されている。１２０４はカメラの動作を起動もしくは停止するための電源スイッチである。
【００１３】
図１−３において、カメラ背面側には、ファインダ接眼窓１３０３、表示手段としての液晶モニタ（画像表示部）２８が設けられている。カメラ背面側に配置された設定釦として、液晶モニタの表示／非表示の切替等の操作を行うＤＩＳＰ釦１３０２、メニュー画面の呼び出し等の操作を行うＭＥＮＵ釦１３０１、撮影した画像データの再生等の操作を行う再生釦１３０９、撮影した画像の消去等の操作を行う消去釦１３１０、ライブビューの開始、終了のためのライブビュー釦１３０８、測距点選択釦１３０５、ＡＥロック釦１３０４、露出補正設定釦１３０７がある。
【００１４】
カメラの電源が入っている状態でライブビュー釦１３０８を押下する。これにより、ファインダ接眼窓１３０３から被写体を観察するファインダ観察状態と、撮像素子１４の出力をライブビュー画像として画像表示部２８に表示するライブビュー状態とを相互に切り替えることができる。なお、撮像素子１４は、本発明の撮像手段の適用例となる構成である。
【００１５】
図２は、本発明の実施形態に係るカメラの電気的な構成を示すブロック図である。図２において、１００はカメラ本体である。１はメインミラーである。メインミラー１は可動ミラーであり、ファインダ観察状態及び位相差ＡＦ動作中は撮影光路内に斜設され（ミラーダウン）、撮像素子１４への光の入射が妨げられる。一方、ライブビュー状態及び撮影状態では撮影光路外に退避する（ミラーアップ）。また、メインミラー１はハーフミラーとなっており、撮影光路内に斜設されているときは、後述する焦点検出光学系へ被写体からの光線の約半分を透過させる。
【００１６】
２はピント板であり、後述の撮影レンズ３０１で結像された被写体の光学像が投影される。３はサブミラーであり、斜設されたメインミラー１を透過した光線を下方に折り曲げて、後述の焦点検出部８の方に導くものである。このサブミラー３は可動ミラーであり、メインミラー１と連動して、ファインダ観察状態及び位相差ＡＦ動作中は撮影光路内に斜設され、ライブビュー状態及び撮影状態では撮影光路外に退避する。
【００１７】
４はファインダ光路変更用のペンタプリズムである。５はファインダ接眼窓１３０３内に設けられている接眼レンズである。６及び７はそれぞれ、ファインダ観察画面内の被写体輝度を測定するための測光レンズ及び測光センサであり、測光センサ７は内部に公知の対数圧縮回路を持っているので、その出力は対数圧縮されたものとなる。８は公知の位相差方式の焦点検出部である。
【００１８】
１４はＣＣＤ、ＣＭＯＳ等の撮像素子である。撮像素子１４はブレ補正制御部１３２により上下左右方向に変位可能に支持され、後述のブレ検出部１３１で検出したブレを補正する機械的ブレ補正手段として機能する。１１はフォトインタラプタやフォトリフレクター、或いはメカ的にオン／オフするＳＷ等で構成されるミラー位置検出部であり、メインミラー１が所定の位置にあることを検出する。ミラーアップやミラーダウンの制御を行なった際には、このミラー位置検出部１１により、ミラーが所定の位置にあることをチェックする。
【００１９】
９はフォーカルプレーン型シャッタである。フォーカルプレーン型シャッタ９はライブビュー状態では撮影レンズユニット３００からの光束を撮像素子１４に導くため開放保持されるように制御される。１６は撮像素子１４から出力されるアナログ信号をデジタル信号に変換するＡ／Ｄ変換器である。１８は撮像素子１４、Ａ／Ｄ変換器１６、Ｄ／Ａ変換器２６にクロック信号や制御信号を供給するタイミング発生回路であり、メモリ制御回路２２及びシステムコントローラ５０により制御される。
【００２０】
２０は画像処理回路であり、Ａ／Ｄ変換器１６からのデータ或いはメモリ制御回路２２からのデータに対して所定の画素補間処理や色変換処理を行う。画像処理回路２０においては、撮像素子１４で撮像した画像データを用いて所定の演算処理を行い、得られた演算結果とカメラの設定値に基づいてホワイトバランスを調整する処理も行っている。
【００２１】
２２はメモリ制御回路であり、Ａ／Ｄ変換器１６、タイミング発生回路１８、画像処理回路２０、画像表示メモリ２４、Ｄ／Ａ変換器２６、第１のメモリ３０、圧縮・伸長回路３２を制御する。Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いは第１のメモリ３０に書き込まれる。
【００２２】
２４は画像表示メモリである。２６はＤ／Ａ変換器である。２８はＴＦＴＬＣＤから成る画像表示部であり、画像表示メモリ２４に書き込まれた表示用の画像データは、Ｄ／Ａ変換器２６を介して画像表示部２８により表示される。
【００２３】
３０は撮影した画像データを格納するための第１のメモリであり、所定枚数の静止画データを格納するのに十分な記憶量を備えている。また、第１のメモリ３０は、システムコントローラ５０の作業領域としても使用することが可能である。
【００２４】
３２は画像データを圧縮伸長する圧縮・伸長回路であり、第１のメモリ３０に格納された画像データを読み込んで圧縮処理或いは伸長処理を行い、処理を終えた画像データを第１のメモリ３０に書き込む。
【００２５】
４０はフォーカルプレーン型シャッタ９を制御するシャッタ制御部である。４１はメインミラー１をアップ、ダウンさせるためのモータと駆動回路からなるミラー制御部である。５０はカメラ本体１００の全体を制御するシステムコントローラである。５２はシステムコントローラ５０の動作用の定数、変数、プログラム等を記憶する第２のメモリである。４４は光学フィルタであり、水晶の複屈折板、位相板、赤外カットフィルタから構成されている。１２０はカメラ本体１００に内蔵され、被写体に対して閃光を発する内蔵ストロボ（内蔵閃光装置）である。内蔵ストロボ１２０において、１２１はＸｅ管、１２２は反射笠、１２３はＸｅ管１２１の発光を制御するＩＧＢＴ等で構成された発光制御回路、１２４はＸｅ管１２１に給電する３００Ｖ程度の電圧を発生する充電回路である。
【００２６】
５４はシステムコントローラ５０でのプログラムの実行に応じて、カメラの動作状態やメッセージ等を表示する、液晶表示装置からなるファインダ内表示部である。ファインダ内表示部５４の表示内容としては、合焦表示、ＡＥロック／ＦＥロック表示、フラッシュ充電表示、赤目緩和設定表示、シャッタスピード表示、絞り値表示、露出レベル／露出補正表示、連続撮影可能枚数表示等がある。５６は電気的に消去・記録可能な不揮発性メモリであり、例えばＥＥＰＲＯＭ等が用いられる。
【００２７】
以下、本実施形態におけるカメラの操作手段の説明を行う。操作手段はシステムコントローラ５０への各種の動作指示を入力するものであり、スイッチやダイヤル、レバー等で構成される。
【００２８】
１２０３はモードダイヤルであり、撮影モードを切り替える設定を行うことができる。６３は第１のシャッタスイッチＳＷ１であり、シャッタ釦１２０６（図１−２）の半押しでオンとなり、ＡＦ（オートフォーカス）処理、ＡＥ（自動露出）処理等の動作開始を指示する。また、このＳＷ１のオンで所定時間の測光タイマが起動し、この測光タイマ中はファインダ内表示部５４や画像表示部２８に測光結果より演算されたシャッタスピードや絞り値、露出レベル表示が表示される。測光タイマは第１のシャッタスイッチＳＷ１のオンの継続やメイン電子ダイヤル１２０５、ＡＥロック釦１３０４などの操作部材の操作により更新される。
【００２９】
６４は第２のシャッタスイッチＳＷ２であり、シャッタ釦１２０６（図１−２）の全押しでオンとなり、一連の撮影処理の動作開始を指示する。１２０４はカメラの電源をオン／オフする電源スイッチである。１２０５は撮影に関する選択、設定に使用するメイン電子ダイヤルで、１クリック回転操作することにより、位相のずれた２ビットの信号をシステムコントローラ５０に送ることにより、回転方向と回転クリック数が検出される。
【００３０】
１０１は各種釦類からなる操作部であり、具体的には図１−３に示したＤＩＳＰ釦１３０２、ＭＥＮＵ釦１１３０１、再生釦１３０９、消去釦１３１０、ライブビュー釦１３０８、測距点選択釦１３０５、ＡＥロック釦１３０４、露出補正設定釦１３０７がある。
【００３１】
８０は電源制御部であり、電池検出回路、ＤＣ−ＤＣコンバータ、通電するブロックを切り替えるスイッチ回路等により構成されている。電源制御部８０は、電源部８６の装着の有無、電池の種類、電池残量の検出を行い、検出結果及びシステムコントローラ５０の指示に基づいて内部のＤＣ−ＤＣコンバータを制御し、各部へ電力を供給する。
【００３２】
８２はボディ側の電源部端子、８４は電源側の電源部端子であり、８６はアルカリ電池やリチウム電池等の一次電池やＮｉＣｄ電池やＮｉＭＨ電池、Ｌｉ電池等の二次電池、ＡＣアダプタ等からなる電源部である。
【００３３】
９０はメモリカードやハードディスク等の記録媒体２００とのインタフェース（Ｉ／Ｆ）である。９２はメモリカードやハードディスク等の記録媒体２００と接続を行うボディ側記録媒体コネクタである。このインタフェース９０及びボディ側記録媒体コネクタ９２としては、ＳＤカードやＣＦ（コンパクトフラッシュ（登録商標））カード等の規格に準拠したものを用いて構成している。
【００３４】
１１０は通信部であり、ＵＳＢやＩＥＥＥ１３９４の通信機能を有する。１１２は通信部１１０によりカメラ本体１００を他の機器と接続するコネクタである。２００はメモリカードやハードディスク等の記録媒体である。記録媒体２００は、半導体メモリや磁気ディスク等から構成される記録部２０２、カメラ本体１００とのインタフェース（Ｉ／Ｆ）２０４、カメラ本体１００と接続を行うコネクタ２０６を備えている。
【００３５】
１１０４は後述の撮影レンズユニット３００とカメラ本体１００側のシステムコントローラ５０との通信を行う通信線（マウント接点）であり、１２０１は後述の外付けストロボ４００とカメラ本体１００側のシステムコントローラ５０との通信を行う通信線である。
【００３６】
次に、撮影レンズユニット３００の説明をする。３０１は被写体の光学像を内部に通過させ、撮像素子１４に結像する為の撮影レンズである。３０２は撮影レンズ３０１を光軸方向に駆動して、ピントを合わせるためのモータ及びモータ駆動回路からなるフォーカス制御部である。なお、フォーカス制御部３０２は、本発明の焦点調整手段の適用例となる構成である。
【００３７】
３０３は撮影レンズ３０１の位置情報から被写体までの距離を検出するためのエンコーダからなる被写体距離検出部である。３０４はシャッタ９との組み合わせで撮影時の撮像素子１４への露光量を調整するための絞りであり、３０５は絞り３０４を駆動するモータ及びモータ駆動回路からなる絞り制御部である。３０６は前述のフォーカス制御部３０２や絞り制御部３０５等を制御するとともに、カメラ本体１００側のシステムコントローラ５０との通信を制御するレンズ制御マイコンである。
【００３８】
また、撮影レンズユニット３００は、レンズマウント１１０５を介して、着脱可能にカメラ本体１００に装着される。また、電気的にはシリアル通信線と電源部からなるマウント接点１１０４でカメラ本体１００に接続される。
【００３９】
次に、カメラ本体１００に外付けされ、被写体に対して閃光を発する外付けストロボ（外付け閃光装置）４００について説明する。
【００４０】
４０１はＸｅ管である。４０２は反射笠である。４０３はＸｅ管４０１の発光を制御するＩＧＢＴ等で構成された発光制御回路である。４０４はＸｅ管４０１に給電する３００Ｖ程度の電圧を発生する充電回路である。また、４０５は充電回路４０４に給電する電池等の電源部、４０６は外付けストロボ４００の発光、充電等を制御するとともに、カメラ本体１００側のシステムコントローラ５０との通信を制御するストロボ制御マイコンである。
【００４１】
また、外付けストロボ４００は、アクセサリシュー１２０２を介して、着脱可能にカメラ本体１００に装着される。また、電気的にはシリアル通信線とＸ端子（発光端子）からなるフラッシュ接点１２０１でカメラ本体１００に接続される。１３１はブレ検出部であり、ジャイロセンサ、角速度センサ、加速度センサ等、振動を測定し、電気信号に変換してシステムコントローラ５０に出力する。
【００４２】
図３は、本実施形態におけるライブビュー表示動作を示すフローチャートである。以下、図３を用いて本実施形態におけるライブビュー表示動作について説明する。カメラの電源が入っている状態で、且つファインダ観察状態のときにライブビュー釦７１を押すと、本シーケンスの処理が開始される。
【００４３】
Ｓ３０１において、システムコントローラ５０は、ミラーアップの制御を行い、メインミラー１及びサブミラー３を撮影光路外に退避するとともに、フォーカルプレーン型シャッタ９を開放する。Ｓ３０２において、システムコントローラ５０は、画像表示部２８にライブビュー表示を行う。
【００４４】
図４は、ライブビュー表示中の画像表示部２８の表示例を示す図であり、被写体の人物の右目にＡＦの測距点を合わせている状態である。ライブビュー画像４０１は撮像素子１４から取り込んで画像処理したデータを１秒あたり３０フレーム程度で連続的に表示しているものである。選択されている測距枠４０２を黄色等の判別容易な色でライブビュー画像４０１に重畳表示することにより、選択した測距点の位置が判別可能なように構成されている。なお、測距枠とは、フォーカス制御部３０２の焦点調整機能によって得られる合焦位置を示す枠である。
【００４５】
Ｓ３０３において、システムコントローラ５０は、ＳＷ１がＯＮされたか否かを判定する。ＳＷ１がＯＮされていればＳ３０４の処理へ進み、ＯＮされていなければＳ３１４の処理へ進む。Ｓ３０４において、システムコントローラ５０は、カメラの設定に基づきＡＥ（自動露出）処理を行い、シャッタスピード、絞り値、ＩＳＯ感度等を算出する。Ｓ３０５において、システムコントローラ５０は測光タイマを起動する。なお、既に測光タイマ起動中である場合には測光タイマを更新する。
【００４６】
Ｓ３１６において、システムコントローラ５０はＡＦが有効に設定されているか否かを判定する。ＡＦモードがＯＮに設定されていればＳ３０６の処理へ進み、ＡＦモードがＯＮに設定されていなければＳ３０８の処理へ進む。Ｓ３０６において、システムコントローラ５０はＬＶ位相差ＡＦの一連の処理のサブルーチンを起動する。Ｓ３０６の処理の詳細については後述する。
【００４７】
Ｓ３０７において、システムコントローラ５０はＳ３０６の処理において被写体への焦点合わせが成功したか否かを判定する。成功していればＳ３１７の処理へ進み、失敗していればＳ３１２の処理へ進む。Ｓ３１７において、システムコントローラ５０は画像表示部２８にＡＦが成功した旨の表示を行う。具体的には、測距枠４０２の表示を緑色にする等の表示を行う。
【００４８】
Ｓ３０８において、システムコントローラ５０はＳＷ１がＯＮされたか否か判定する。ＳＷ１がＯＮされていればＳ３０９の処理へ進み、ＯＮされていなければＳ３１４の処理へ進む。Ｓ３０９において、システムコントローラ５０は測光タイマを更新する。Ｓ３１０において、システムコントローラ５０はＳＷ２がＯＮされたか否かを判定する。ＳＷ２がＯＮされていればＳ３１１の処理へ進み、ＯＮされていなければＳ３０８の処理へ戻る。Ｓ３１１において、システムコントローラ５０は一連の撮影処理を行う。
【００４９】
また、Ｓ３１２において、システムコントローラ５０はＳＷ１がＯＮされたか否か判定する。ＳＷ１がＯＮされていればＳ３１３の処理へ進み、ＯＮされていなければＳ３１４の処理へ進む。Ｓ３１３において、システムコントローラ５０は画像表示部２８にＡＦが失敗した旨の表示を行う。具体的には、測距枠４０２の表示を赤く点滅させる等の表示を行う。
【００５０】
Ｓ３１４において、システムコントローラ５０はライブビュー表示を終了するか否かを判定する。具体的にはライブビュー釦１３０８が押されたり、電源スイッチ１２０４がＯＦＦされる、撮影レンズユニット３００が外される等の操作がなされた場合、ライブビューを終了すると判定する。終了する場合にはＳ３１５の処理へ進み、終了しない場合にはＳ６０２の処理へ戻る。Ｓ３１５において、システムコントローラ５０はライブビュー表示を終了する。Ｓ３１８において、システムコントローラ５０はミラーダウンの制御を行い、メインミラー１及びサブミラー３を撮影光路内に斜設する位置に戻すとともに、フォーカルプレーン型シャッタ９を閉じ、一連の処理を終了する。
【００５１】
図５は、図３のＳ３０６のサブルーチンの処理を示すフローチャートである。本サブルーチンが呼び出されると、先ずＳ５０１において、システムコントローラ５０は最新のフレームの画像データから静止画データを作成して第１のメモリ３０に書き込む。この静止画データはライブビュー表示用の画像データを用いて作成するのでなく、別途静止画データ作成のために撮像して作成してもよい。なお、Ｓ５０１は、本発明の生成手段の処理例である。
【００５２】
Ｓ５０２において、システムコントローラ５０は上記静止画データを処理して表示のための静止画データを作成し、測距枠等を重畳表示する。この状態の表示は図４で説明した表示において、本サブルーチンが呼び出される直前の状態でライブビュー画像４０１を静止させたのと同等の表示となっている。Ｓ５１１において、システムコントローラ５０は表示位置の補正処理を開始する。表示位置の補正処理の詳細については後述する。なお、Ｓ５０２は、本発明の表示制御手段の処理例である。
【００５３】
Ｓ５０３において、システムコントローラ５０はミラーダウンの制御を行い、メインミラー１及びサブミラー３を撮影光路内に斜設する位置に戻すとともに、フォーカルプレーン型シャッタ９を閉じる。Ｓ５０４において、システムコントローラ５０は焦点検出部８からの信号に基づき、撮影レンズ３０１の駆動量を算出するＡＦ演算を開始する。
【００５４】
Ｓ５０７において、システムコントローラ５０はＡＦ演算が成功したか否かを判定する。ＡＦ演算が成功してレンズの駆動量が算出できていればＳ５０８の処理に進み、ＡＦ演算が成功せず、レンズの駆動量が算出できていなければＳ５１２の処理に進む。Ｓ５０８において、システムコントローラ５０はＳ５０４のＡＦ演算結果に基づいて撮影レンズ３０１を駆動制御する。
【００５５】
Ｓ５１２において、システムコントローラ５０はミラーアップの制御を行う。処理の内容はＳ３０１と同様である。Ｓ５１３において、システムコントローラ５０は画像表示部２８にライブビュー表示を行い、本サブルーチンを終了する。
【００５６】
以下、図５のＳ５１１における表示位置の補正処理の詳細について説明する。図６は、本発明の第１の実施形態における表示位置の補正処理の動作を示すフローチャートである。
【００５７】
表示位置の補正処理の開始が指示されると、Ｓ６０１において、システムコントローラ５０はブレ検出部１３１の出力からカメラのブレ量（振動量を含む）を算出する。このブレ量とは、Ｓ５０２で表示されている静止画データを撮影した時点からのカメラの縦横方向の回転角として求められる。Ｓ６０２において、システムコントローラ５０は表示画像のシフト量を演算し、Ｓ５０２で表示されている静止画データをシフト表示させる。具体的には、システムコントローラ５０は、Ｓ６０１で求めたブレ量、並びに、装着されている撮影レンズユニット３００の焦点距離及び撮影距離情報から、実際に焦点検出部８が検出している被写体位置を求める。そして、システムコントローラ５０は上記静止画データと測距枠とが重なる位置が焦点検出部８が検出している被写体位置と同じとなるように静止画データをシフトさせる。なお、Ｓ６０１は、本発明の検出手段の処理例である。
【００５８】
図７は、図６に示す表示位置の補正処理で静止画データをシフトした表示例を示す図である。図７では、位相差ＡＦ開始時に測距位置を被写体の右目にあわせていたものが、カメラが左下方向にブレて測距位置が背景に向いている状態を表している。実際に焦点検出部８が検出している位置と、静止画データ７０３と測距枠７０２とが重なる位置が同じとなるように静止画データ７０３を右上方向にシフト（移動）させている。
【００５９】
Ｓ６０３において、システムコントローラ５０は処理を終了するか否か判定する。位相差ＡＦ処理が継続していて静止画データ表示を継続する場合はＳ６０１に戻って処理を継続し、静止画データ表示を終了する場合は本処理を終了する。
【００６０】
以上説明したように本実施形態によれば、ライブビュー表示中の位相差ＡＦ実行中は、画像表示部２８に位相差ＡＦ動作によってミラーダウンする直前の静止画データ及び選択されている測距枠が表示される。更にその静止画データがカメラのブレに対応してシフト表示される。そのため、位相差ＡＦ実行中でライブビュー画像が確認できない場合にも現在ＡＦしている被写体位置の目安が確認できるとともに、ブレにより意図しない場所に焦点が合う等の不具合を防ぐことができる。また、ブレにより撮影範囲から外れる部分は画像表示部２８の表示でも表示範囲から外れるため、撮影範囲から外れる被写体を確認することができる。
【００６１】
次に、本発明の第２の実施形態について説明する。図８は、本発明の第２の実施形態における表示位置の補正処理の動作を示すフローチャートである。以下、図８を用いて本実施形態における表示位置の補正処理について説明する。
【００６２】
表示位置の補正処理の開始が指示されると、Ｓ８０１において、システムコントローラ５０はブレ検出部１３１の出力からカメラのブレ量（振動量を含む）を算出する。このブレ量とは、Ｓ５０２で表示されている静止画データを撮影した時点からのカメラの縦横方向の回転角として求められる。
【００６３】
Ｓ８０２において、システムコントローラ５０は表示画像のシフト量を演算し、Ｓ５０２で表示されている測距枠をシフト表示させる。具体的には、システムコントローラ５０は、Ｓ８０１で求められたブレ量、及び、装着されている撮影レンズユニット３００の焦点距離及び撮影距離情報から、実際に焦点検出部８が検出している被写体位置を求める。そして、システムコントローラ５０は、上記静止画データと測距枠とが重なる位置が焦点検出部８によって検出されている被写体位置と同じとなるように測距枠をシフトさせる。
【００６４】
図９は、図８に示す表示位置の補正処理で測距枠をシフトした表示例を示す図である。図９では、位相差ＡＦ開始時に測距位置を被写体の右目にあわせていたものが、カメラが左下方向にブレて測距位置が背景に向いている状態を表している。実際に焦点検出部８が検出している位置と、静止画データ９０３と測距枠９０２が重なる位置とが同じとなるように測距枠９０２を左下方向にシフトさせている。
【００６５】
Ｓ８０３において、システムコントローラ５０は処理を終了するか否かを判定する。位相差ＡＦ処理が継続していて静止画データ表示を継続する場合はＳ８０１に戻って処理を継続し、静止画データ表示を終了する場合は本処理を終了する。なお、本実施形態におけるその他の処理については第１の実施形態と同様である。
【００６６】
以上説明したように本実施形態によれば、ライブビュー表示中の位相差ＡＦ実行中は液晶モニタに位相差ＡＦ動作によってミラーダウンする直前の静止画データ及び選択されている測距枠が表示される。更にその測距枠がカメラのブレに対応してシフト表示される。そのため、位相差ＡＦ実行中でライブビュー画像が確認できない場合にも現在ＡＦしている被写体位置の目安が確認できることとなり、ブレにより意図しない場所に焦点が合う等の不具合を防ぐことができる。また、静止画データはシフトしないため、表示画面に対して画像がけられたり、画像の余白が出たりすることがないため表示の品位を下げることがない。
【００６７】
次に、本発明の第３の実施形態について説明する。図１０は、本発明の第３の実施形態における表示位置の補正処理の動作を示すフローチャートである。以下、図１０を用いて本実施形態における表示位置の補正処理について説明する。
【００６８】
表示位置の補正処理の開始が指示されると、Ｓ１００１において、システムコントローラ５０はブレ検出部１３１の出力からカメラのブレ量（振動量を含む）を算出する。このブレ量とは、Ｓ５０２で表示されている静止画データを撮影した時点からのカメラの縦横方向の回転角として求められる。
【００６９】
Ｓ１００４において、システムコントローラ５０は機械的ブレ補正を実施する。具体的には、システムコントローラ５０は、Ｓ１００１で求められたブレ量、及び、装着されている撮影レンズユニット３００の焦点距離及び撮影距離情報から補正量を求め、ブレ補正制御部１３２で撮像素子１４を変位させる。ブレ量がブレ補正制御部１３２で補正できる量（補正範囲）を超えている場合、システムコントローラ５０は補正できる量のみを補正するようブレ補正制御部１３２を制御する。本実施形態では、機械的ブレ補正手段として、撮像素子１４を変位させる方法を用いているが、撮影レンズユニット３００の光学系部品の一部を変位させることによりブレ補正する方法を用いることもできる。
【００７０】
Ｓ１００５において、システムコントローラ５０は、Ｓ１００１で求めたブレ量とＳ１００４で機械的に補正したブレ補正量とを比較し、補正残りがあるか否かを判定する。補正残りがある場合はＳ１００６の処理へ、補正残りがない場合はＳ１００３の処理へ進む。Ｓ１００６において、システムコントローラ５０は、Ｓ１００１で求めたブレ量とＳ１００４で機械的に補正したブレ補正量との差分を演算する。
【００７１】
Ｓ１００２において、システムコントローラ５０は静止画データのシフト量を演算し、Ｓ５０２で表示している静止画データをシフト表示させる。具体的には、システムコントローラ５０は、Ｓ１００６で求めたブレ補正量の差分、並びに、装着されている撮影レンズユニット３００の焦点距離及び撮影距離情報から、実際に焦点検出部８が検出している被写体位置を求める。そして、システムコントローラ５０は、上記静止画データと測距枠とが重なる位置が焦点検出部８によって検出されている被写体位置と同じとなるように静止画データをシフトさせる。
【００７２】
Ｓ１００３において、システムコントローラ５０は処理を終了するか否かを判定する。位相差ＡＦ処理が継続していて静止画データ表示を継続する場合はＳ１００１に戻って処理を継続し、静止画データ表示を終了する場合は本処理を終了する。なお、本実施形態におけるその他の処理については第１の実施形態と同様である。
【００７３】
以上説明したように、本実施形態によれば、位相差ＡＦ開始後に多少のブレが発生しても機械的手ぶれ補正を行うことによって、現在ＡＦしている被写体位置と静止画データ上で測距枠が表示されている位置がずれることを防ぐことができる。更にブレ量が増えて機械的補正できるブレ量を超えた場合は、その静止画データがカメラのブレに対応してシフト表示される。そのため、位相差ＡＦ実行中の表示の変化を極力抑えて視認性を向上した上で、ライブビュー画像が確認できない場合にも現在ＡＦしている被写体位置の目安が確認できることとなり、ブレにより意図しない場所に焦点が合う等の不具合を防ぐことができる。
【００７４】
次に、本発明の第４の実施形態について説明する。図１１は、本発明の第４の実施形態における表示位置の補正処理の動作を示すフローチャートである。第３の実施形態における表示位置の補正処理と異なる点は、第３の実施形態では、Ｓ１００２において静止画データのシフト量を演算し、表示されている静止画データをシフト表示させるのに対し、第４の実施形態では、Ｓ１１０２において測距枠のシフト量を演算し、表示されている測距枠をシフト表示させる点にある。それ以外の処理は、図１０に示す処理と同様であるため、説明を省略する。また、本実施形態におけるその他の処理についても第１の実施形態と同様である。
【００７５】
以上説明したように、本実施形態によれば、位相差ＡＦ開始後に多少のブレが発生しても機械的手ぶれ補正を行なうことによって、現在ＡＦしている被写体位置と静止画データ上で測距枠が表示されている位置がずれることを防ぐことができる。更にブレ量が増えて機械的補正できるブレ量を超えた場合は、その測距枠がカメラのブレに対応してシフト表示される。そのため、位相差ＡＦ実行中の表示の変化を極力抑えて視認性を向上した上で、ライブビュー画像が確認できない場合にも現在ＡＦしている被写体位置の目安が確認できることとなり、ブレにより意図しない場所に焦点が合う等の不具合を防ぐことができる。また、静止画データはシフトしないため、表示画面に対して画像がけられたり、画像の余白が出たりすることがないため表示の品位を下げることがない。
【００７６】
なお、システムコントローラ５０の制御は一つのハードウェアが行ってもよいし、複数のハードウェアが処理を分担することで、装置全体の制御を行ってもよい。
【００７７】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００７８】
また、上述した実施形態においては、本発明をカメラに適用した場合を例にして説明したが、これはこの例に限定されない。すなわち、本発明はカメラから出力された画像をリアルタイムに表示可能なパーソナルコンピュータ等の表示制御装置にも適用可能である。
【００７９】
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記録したコンピュータ読み取り可能な記録媒体は本発明を構成することになる。
【符号の説明】
【００８０】
１：メインミラー、３：サブミラー、８：焦点検出部、５０：システムコントローラ、１３１：ブレ検出部、１３２：ブレ補正制御部、３００：撮影レンズユニット
【図１−１】
2011155505.tif 000003
【図１−２】
2011155505.tif 000004
【図１−３】
2011155505.tif 000005
【図２】
2011155505.tif 000006
【図３】
2011155505.tif 000007
【図４】
2011155505.tif 000008
【図５】
2011155505.tif 000009
【図６】
2011155505.tif 000010
【図７】
2011155505.tif 000011
【図８】
2011155505.tif 000012
【図９】
2011155505.tif 000013
【図１０】
2011155505.tif 000014
【図１１】
2011155505.tif 000015